(57)【特許請求の範囲】
【請求項１】
物体側から像側へ順に、正の屈折力を有する第１レンズ群と、負の屈折力を有する第２レンズ群と、正又は負の屈折力を有する第３レンズ群と、１以上のレンズ群を含む後続レンズ群を有し、広角端から望遠端へのズーミングに際して、前記第１レンズ群と前記第２レンズ群の間隔が広がるように前記第２レンズ群が光軸上を移動するズームレンズにおいて、前記第２レンズ群よりも像側に開口絞りを有し、前記第２レンズ群に含まれる負レンズの材料の異常部分分散比ΔθgFの総和をSUM(ΔθgF2N)、前記第２レンズ群に含まれる負レンズの材料の異常部分分散比ΔθgFの平均値以上の材料よりなる負レンズのパワーの総和をφ2SUM、前記第２レンズ群のパワーをφ2、前記第１レンズ群に含まれる正レンズの材料の異常部分分散比ΔθgFの総和をSUM(ΔθgF1P)とするとき、
０．０６５＜SUM(ΔθgF2N)＜０．２００
０．４＜φ2SUM／φ2＜２．０
０．０３０＜SUM(ΔθgF1P)＜０．３００
なる条件式を満足することを特徴とするズームレンズ。
【請求項２】
前記第２レンズ群は、材料のアッベ数をν2Nとするとき、
７０＜ν2N＜１００
なる条件式を満足する材料より成る負レンズを１以上有することを特徴とする請求項１に記載のズームレンズ。
【請求項３】
前記第１レンズ群の焦点距離をf1、前記第２レンズ群の焦点距離をf2、前記第３レンズ群の焦点距離をf3、広角端における全系の焦点距離をfw、望遠端における全系の焦点距離をftとするとき、
２．０＜f1／√（fw×ft）＜１０．０
−１．５＜f2／√（fw×ft）＜−０．５
−１０．０＜f1／f2＜−１．０
０．０５＜｜f2／f3｜＜０．６０
なる条件式を満足することを特徴とする請求項１又は２に記載のズームレンズ。
【請求項４】
前記後続レンズ群は、最も物体側に正の屈折力の第４レンズ群を有し、広角端から望遠端へのズーミングに際して前記第２レンズ群は像側へ単調に移動し、前記第３レンズ群は前記第２レンズ群との間隔が変化するように物体側に凸状の軌跡を描いて移動し、前記第４レンズ群は前記第３レンズ群との間隔が変化するように移動することを特徴とする請求項１乃至３のいずれか１項に記載のズームレンズ。
【請求項５】
前記第２レンズ群は、物体側から像側へ順に、像側に凹面を向けた負レンズ、像側に凹面を向けた負レンズを有しており、更に、前記２つの像側に凹面を向けた負レンズよりも像側に、２つ以上の負レンズと、１つ以上の正レンズを有することを特徴とする請求項１乃至４のいずれか１項に記載のズームレンズ。
【請求項６】
前記第２レンズ群に含まれる正レンズのうち少なくとも１つの正レンズの材料の異常部分分散比ΔθgF2P、前記第２レンズ群に含まれる正レンズのうち少なくとも１つの正レンズの材料の屈折率をN2Pとするとき、
−０．０５０＜ΔθgF2P＜０．０１７
１．４０＜N2P＜１．７０
なる条件式を満足することを特徴とする請求項１乃至５のいずれか１項に記載のズームレンズ。
【請求項７】
前記第２レンズ群は物体側から像側へ順に、像側に凹面を向けた負レンズ、像側に凹面を向けた負レンズ、正レンズと負レンズを接合した接合レンズ、正レンズと負レンズを接合した接合レンズよりなることを特徴とする請求項１乃至６のいずれか１項に記載のズームレンズ。
【請求項８】
前記第２レンズ群は物体側から像側へ順に、像側に凹面を向けた負レンズ、像側に凹面を向けた負レンズ、負レンズ、負レンズ、正レンズよりなることを特徴とする請求項１乃至６のいずれか１項に記載のズームレンズ。
【請求項９】
物体側から像側へ順に、正の屈折力を有する第１レンズ群と、負の屈折力を有する第２レンズ群と、正又は負の屈折力を有する第３レンズ群と、１以上のレンズ群を含む後続レンズ群を有し、広角端から望遠端へのズーミングに際して、前記第１レンズ群と前記第２レンズ群の間隔が広がるように前記第２レンズ群が光軸上を移動するズームレンズにおいて、前記第２レンズ群よりも像側に開口絞りを有し、前記第２レンズ群に含まれる負レンズの材料の異常部分分散比ΔθgFの総和をSUM(ΔθgF2N)、前記第２レンズ群に含まれる負レンズの材料の異常部分分散比ΔθgFの平均値以上の材料よりなる負レンズのパワーの総和をφ2SUM、前記第２レンズ群のパワーをφ2、
前記第１レンズ群の焦点距離をf1、前記第２レンズ群の焦点距離をf2、前記第３レンズ群の焦点距離をf3、広角端における全系の焦点距離をfw、望遠端における全系の焦点距離をftとするとき、
０．０６５＜SUM(ΔθgF2N)＜０．２００
０．４＜φ2SUM／φ2＜２．０
２．０＜f1／√（fw×ft）＜１０．０
−１．５＜f2／√（fw×ft）＜−０．５
−１０．０＜f1／f2＜−１．０
０．０５＜｜f2／f3｜＜０．６０
なる条件式を満足することを特徴とするズームレンズ。
【請求項１０】
請求項１乃至９のいずれか１項に記載のズームレンズと、前記ズームレンズによって形成された像を受光する固体撮像素子とを有していることを特徴とする撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化されている。そしてそれに用いる撮影光学系として、高ズーム比（高変倍比）で、しかも全ズーム範囲で高解像力であるズームレンズであることが要求されている。これらの要求に応えるズームレンズとして、物体側より像側へ順に、正、負、正又は負の屈折力を有する第１、第２、第３レンズ群と、それに続く１つ以上のレンズ群を含む後群を有するポジティブリード型のズームレンズが知られている。
【０００３】
ポジティブリード型のズームレンズとして、物体側より像側へ順に、正、負、正、正の屈折力の４つのレンズ群より成るズームレンズが知られている（特許文献１）。又、物体側より像側へ順に正、負、負、正、正の屈折力の５つのレンズ群より成るズームレンズが知られている（特許文献２、３）。又、物体側より像側へ順に正、負、正、負、正の屈折力の５つのレンズ群より成るズームレンズが知られている（特許文献４）。
【０００４】
特許文献２には、ズーム全域に渡って色収差と像面湾曲及び非点収差の補正を良好に行なうために、第２レンズ群の負レンズに高屈折率で比較的低分散な硝材を用いていた高性能のズームレンズが開示されている。特許文献３、４にはズーム全域に渡って倍率色収差を補正するために、第２レンズ群の負レンズに低屈折率低分散な硝材を用いた高性能のズームレンズが開示されている。
【先行技術文献】
【特許文献】
【０００５】
【特許文献１】特開２００６−１７１６５５号公報
【特許文献２】特開２０００−２６７００３号公報
【特許文献３】特開２００９−１２８６８３号公報
【特許文献４】特開２００９−２３６９７３号公報
【発明の概要】
【発明が解決しようとする課題】
【０００６】
近年、ＴＶカメラ等の撮像装置では画素数の多い撮像素子が用いられ、それに用いられるズームレンズには、スーパーハイビジョン相当の高画質が得られることが要望されている。またビデオカメラやデジタルスチルカメラ等においても画素数の多い撮像素子が用いられ、これらの用いるズームレンズには高い光学性能を有したものが要望されている。ポジティブリード型のズームレンズにおいて、広画角、高ズーム比で全ズーム範囲にわたり高い光学性能を得るには、ズームタイプや各レンズ群のレンズ構成を適切に設定することが重要になってくる。
【０００７】
一般に全ズーム範囲にわたり、高い光学性能を得るには全ズーム範囲にわたり諸収差が良好に補正されていること、特に倍率色収差が良好に補正されていることが重要になってくる。ここで倍率色収差の補正としては、広角端領域において、ｄ線基準におけるＣ線とＦ線間の倍率色収差量だけでなく、ｇ線とＦ線間の倍率色収差量においても良好に補正されていることが重要になってくる。
【０００８】
ポジティブリード型のズームレンズにおいて、高ズーム比化を図りつつ、全ズーム範囲にわたり倍率色収差を良好に補正するには、特に変倍用の第２レンズ群のレンズ構成を適切に設定することが重要になってくる。変倍用の第２レンズ群のレンズ構成を適切に設定しないと、広画角かつ高ズーム比で全ズーム範囲にわたり高い光学性能を有したズームレンズを得るのが難しくなってくる。
【０００９】
本発明は、広画角かつ高ズーム比で、しかも全ズーム範囲にわたり高い光学性能が得られるズームレンズ及びそれを有する撮像装置の提供を目的とする。
【課題を解決するための手段】
【００１０】
本発明のズームレンズは、物体側から像側へ順に、正の屈折力を有する第１レンズ群と、負の屈折力を有する第２レンズ群と、正又は負の屈折力を有する第３レンズ群と、１以上のレンズ群を含む後続レンズ群を有し、広角端から望遠端へのズーミングに際して、前記第１レンズ群と前記第２レンズ群の間隔が広がるように前記第２レンズ群が光軸上を移動するズームレンズにおいて、前記第２レンズ群よりも像側に開口絞りを有し、前記第２レンズ群に含まれる負レンズの材料の異常部分分散比ΔθgFの総和をSUM(ΔθgF2N)、前記第２レンズ群に含まれる負レンズの材料の異常部分分散比ΔθgFの平均値以上の材料よりなる負レンズのパワーの総和をφ2SUM、前記第２レンズ群のパワーをφ2、前記第１レンズ群に含まれる正レンズの材料の異常部分分散比ΔθgFの総和をSUM(ΔθgF1P)とするとき、
０．０６５＜SUM(ΔθgF2N)＜０．２００
０．４＜φ2SUM／φ2＜２．０
０．０３０＜SUM(ΔθgF1P)＜０．３００
なる条件式を満足することを特徴としている。
この他、本発明のズームレンズは、物体側から像側へ順に、正の屈折力を有する第１レンズ群と、負の屈折力を有する第２レンズ群と、正又は負の屈折力を有する第３レンズ群と、１以上のレンズ群を含む後続レンズ群を有し、広角端から望遠端へのズーミングに際して、前記第１レンズ群と前記第２レンズ群の間隔が広がるように前記第２レンズ群が光軸上を移動するズームレンズにおいて、前記第２レンズ群よりも像側に開口絞りを有し、前記第２レンズ群に含まれる負レンズの材料の異常部分分散比ΔθgFの総和をSUM(ΔθgF2N)、前記第２レンズ群に含まれる負レンズの材料の異常部分分散比ΔθgFの平均値以上の材料よりなる負レンズのパワーの総和をφ2SUM、前記第２レンズ群のパワーをφ2、
前記第１レンズ群の焦点距離をf1、前記第２レンズ群の焦点距離をf2、前記第３レンズ群の焦点距離をf3、広角端における全系の焦点距離をfw、望遠端における全系の焦点距離をftとするとき、
０．０６５＜SUM(ΔθgF2N)＜０．２００
０．４＜φ2SUM／φ2＜２．０
２．０＜f1／√（fw×ft）＜１０．０
−１．５＜f2／√（fw×ft）＜−０．５
−１０．０＜f1／f2＜−１．０
０．０５＜｜f2／f3｜＜０．６０
なる条件式を満足することを特徴としている。
【発明の効果】
【００１１】
本発明によれば、広画角かつ高ズーム比で、しかも全ズーム範囲にわたり高い光学性能が得られるズームレンズが得られる。
【図面の簡単な説明】
【００１２】
【図１】実施例１の物体距離無限遠時におけるレンズ断面図
【図２】（Ａ）（Ｂ）  実施例１の物体距離無限遠時における広角端と望遠端における収差図
【図３】実施例２の物体距離無限遠時におけるレンズ断面図
【図４】（Ａ）（Ｂ）  実施例２の物体距離無限遠時における広角端と望遠端における収差図
【図５】実施例３の物体距離無限遠時におけるレンズ断面図
【図６】（Ａ）（Ｂ）  実施例３の物体距離無限遠時における広角端と望遠端における収差図
【図７】実施例４の物体距離無限遠時におけるレンズ断面図
【図８】（Ａ）（Ｂ）  実施例４の物体距離無限遠時における広角端と望遠端における収差図
【図９】実施例５の物体距離無限遠時におけるレンズ断面図
【図１０】（Ａ）（Ｂ）  実施例５の物体距離無限遠時における広角端と望遠端における収差図
【図１１】本発明の撮像装置の要部概略図
【発明を実施するための形態】
【００１３】
以下、本発明のズームレンズ及びそれを有する撮像装置について説明する。本発明のズームレンズは、物体側から像側へ順に、正の屈折力を有する第１レンズ群と、負の屈折力を有する第２レンズ群と、正又は負の屈折力を有する第３レンズ群と、１以上のレンズ群を含む後続レンズ群を有している。広角端から望遠端へのズーミングに際して、第１レンズ群と第２レンズ群の間隔が広がるように第２レンズ群が光軸上を移動する。
【００１４】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの広角端におけるレンズ断面図である。図４（Ａ）、（Ｂ）はそれぞれ実施例２のズームレンズの広角端、望遠端における収差図である。図５は本発明の実施例３のズームレンズの広角端におけるレンズ断面図である。図６（Ａ）、（Ｂ）はそれぞれ実施例３のズームレンズの広角端、望遠端における収差図である。
【００１５】
図７は本発明の実施例４のズームレンズの広角端におけるレンズ断面図である。図８（Ａ）、（Ｂ）はそれぞれ実施例４のズームレンズの広角端、望遠端における収差図である。図９は本発明の実施例５のズームレンズの広角端におけるレンズ断面図である。図１０（Ａ）、（Ｂ）はそれぞれ実施例５のズームレンズの広角端、望遠端における収差図である。図１１は本発明のズームレンズを備えるＴＶカメラ（撮像装置）の要部概略図である、各実施例のズームレンズはＴＶカメラ、ビデオカメラ、デジタルカメラそして銀塩フィルムカメラ等の撮像装置に用いられる撮影レンズ系である。
【００１６】
レンズ断面図において、左方が被写体側（物体側）（前方）で、右方が像側（後方）である。レンズ断面図において、Ｌ０はズームレンズである。またｉは物体側からのレンズ群の順番を示し、Ｌｉは第ｉレンズ群である。Ｌｒは１以上のレンズ群を含む後群である。ＳＰは開口絞りである。Ｇは光学フィルター、フェースプレート、水晶ローパスフィルター、赤外カットフィルター等に相当する光学ブロックである。
【００１７】
ＩＰは像面であり、ＴＶカメラ、ビデオカメラ、デジタルカメラ等に適用する際には像を受光するＣＣＤセンサやＣＭＯＳセンサ等の撮像素子（光電変換素子）の撮像面に、銀塩フィルム用カメラに適用する際にはフィルム面に相当する感光面が置かれる。レンズ断面図において、矢印は広角端から望遠端へのズーミングに際しての各レンズ群の移動軌跡と無限遠物体から近距離物体へフォーカスするときの移動方向を示している。
【００１８】
収差図において、ｄ、ｇは順に、ｄ線、ｇ線である。Ｍ、Ｓはメリディオナル像面、サジタル像面、倍率色収差はｇ線によって表している。ＦｎｏはＦナンバー、ωは半画角である。後述する数値実施例１乃至５の数値をｍｍ単位で表したとき、すべての収差図において、球面収差は０．２ｍｍ、非点収差は０．２ｍｍ、歪曲は５％、倍率色収差は０．０２ｍｍのスケールで描かれている。尚、以下の各実施例において広角端と望遠端は変倍のために移動するレンズ群が機構上光軸上を移動可能な範囲の両端に位置したときのズーム位置をいう。
【００１９】
各実施例のズームレンズの技術的特徴について説明する。従来、ポジティブリード型のズームレンズとして、物体側より像側へ順に、正の屈折力の第１レンズ群と、負の屈折力の第２レンズ群と、第３レンズ群と、結像作用をする１以上のレンズ群を含む後続レンズ群よりなるズームレンズが知られている。このズームレンズは広角端から望遠端へのズーミングに際して第１レンズ群と第２レンズ群との間隔が広がるように第２レンズ群が光軸上を移動する。
【００２０】
このような構成のズームレンズにおいて、高画質化を進めるためには、主に広角端側において倍率色収差と像面湾曲及び非点収差を良好に補正することが必要である。倍率色収差の補正においては特に広角端側で、ｄ線基準でＣ線とＦ線の倍率色収差を補正してもｇ線とＦ線間の倍率色収差が残存してしまうことがある。そうすると、画面全域、及びズーム可能領域全域で高い解像力を得ることが難しい。
【００２１】
また像面湾曲や非点収差においては、特に広角端側において像高が高い領域でメリディオナル像面とサジタル像面の乖離が大きくなってしまい、画面全域、及びズーム可能領域全域で高い解像力を得ることが難しい。
【００２２】
従来より多くのポジティブリード型のズームレンズは、この課題を解決するために、負の屈折力の第２レンズ群のレンズ構成を適切に設定していた。特許文献２に開示されているズームレンズでは、広角端側での像面湾曲や非点収差を低減させるために、第２レンズ群の負レンズの材料に高屈折率の硝材を用いている。これにより全系のペッツバール和の悪化を抑えて、広角端側において像面湾曲や非点収差を低減させている。また、望遠端付近に比べて広角端付近の倍率色収差が悪化しやすいため、第２レンズ群の負レンズの材料を比較的低分散な硝材で構成している。
【００２３】
これによりＣ線とＦ線間の倍率色収差のズーム変動を低減させている。特許文献２のズームレンズにはレンズに使用されている硝材の異常部分分散特性が開示されていない。開示されている屈折率とアッベ数から推測すると、異常部分分散比ΔθgFの値が負の値となり、広角端側におけるｇ線とＦ線間の倍率色収差の補正方向とが逆になってしまい、高画質化が困難である。
【００２４】
特許文献３や特許文献４に開示されているズームレンズもレンズに使用している硝材の異常分散特性が開示されていない。開示されている屈折率とアッベ数から推測すると、第２レンズ群の負レンズに低分散でかつ異常部分分散特性を有する硝材で構成している。こうすることで、広角端側において、Ｃ線とＦ線間の倍率色収差の補正だけではなくｇ線とＦ線間の倍率色収差量も低減している。しかしながら特許文献３、４で使用されていると考えられる異常部分分散量では倍率色収差の補正が必ずしも十分でない。
【００２５】
また、このように負レンズに低屈折率な硝材を使用するとペッツバール和が悪化してくる。特に、特許文献３や特許文献４に開示されているズームレンズは正レンズに高屈折率な硝材を使用しているため、更にペッツバール和が悪化してくる。撮像画像の更なる高画質化を図るには倍率色収差の補正に関しては、Ｃ線とＦ線間の倍率色収差の補正だけではなく、ｇ線とＦ線間の倍率色収差の補正を良好に行なうことが重要である。広角端領域で倍率色収差を補正しても望遠端領域で悪化するとズーム全域において高画質化が難しい。
【００２６】
そこで本発明のズームレンズは第２レンズ群が、各ズーム領域において光線通過位置が変わる面を有していることを利用して倍率色収差を全ズーム領域において良好に補正している。詳説すると、第２レンズ群では広角端付近で軸外主光線がレンズの周辺を通り、望遠端付近では軸外主光線がレンズの中心部分を通る光学性質を利用している。この第２レンズ群の負レンズの材料に異常部分分散比ΔθgFが正となり、その値自体も比較的大きな値を取る特性の硝材を用い、かつ強いパワーで使用する。これにより、第２レンズ群全体として非常に大きな異常分散特性を持たせている。
【００２７】
本発明では、こうすることで望遠端領域において倍率色収差に大きな影響を与えずに、広角端領域のＣ線とＦ線間の倍率色収差とｇ線とＦ線間の倍率色収差を良好に補正している。
【００２８】
ここで、材料のアッベ数νｄ、部分分散比θgF、異常部分分散比ΔθgFは次のとおりである。今、g線（435.8nm）、F線(486.1nm)、d線(587.6nm)、C線(656.3nm)に対する材料の屈折率をそれぞれNg、NF、Nd、NCとする。このときアッベ数νd、部分分散比θgF、異常部分分散比ΔθgFは、
νd＝(Nd−１)/(NF−NC)
θgF＝(Ng−NF)/(NF−NC)
ΔθgF＝θgF−(−1.61783×10-3×νd ＋0.64146)
で表される数値である。
【００２９】
以上のような方法で倍率色収差を効果的に補正しようとすると、異常部分分散比ΔθgFが比較的正で大きい値を取る低屈折率低分散硝材を使用することになる。これは前述したようにペッツバール和が悪化するため、主に広角端領域での像面湾曲及び非点収差を低減させる事が困難となる。
【００３０】
そこで本発明では、前述の通り広角端付近で軸外主光線がレンズの周辺を通り、望遠端付近では軸外主光線がレンズの中心部分を通る第２レンズ群に、少なくとも１つの非球面形状のレンズ面を設けている。このように各ズーム領域においてレンズ面での光線通過位置が変わるレンズ面を非球面形状とすることで、広角端付近では像面湾曲や非点収差を補正し、望遠端付近では球面収差やコマ収差を補正している。
【００３１】
次に各実施例のズームレンズの特徴について説明する。各実施例のズームレンズＬ０は、物体側から像側へ順に、正の屈折力の第1レンズ群Ｌ１、負の屈折力の第２レンズ群Ｌ２、正又は負の屈折力の第３レンズ群Ｌ３、１以上のレンズ群を含む後続レンズ群を有している。広角端から望遠端へのズーミングに際して第１レンズ群Ｌ１と第２レンズ群Ｌ２との間隔が広がるように第２レンズ群Ｌ２が光軸上を移動する。
【００３２】
第２レンズ群Ｌ２よりも像側に開口絞りＳＰを有している。第２レンズ群Ｌ２は１以上の非球面形状のレンズ面を有している。第２レンズ群Ｌ２に含まれる負レンズの材料の異常部分分散比ΔθgFの総和をSUM(ΔθgF2N)とする。第２レンズ群Ｌ２に含まれる負レンズの材料の異常部分分散比ΔθgFの平均値以上の材料よりなる負レンズのパワーの総和をφ2SUMとする。第２レンズ群Ｌ２のパワーをφ2とする。このとき、
０．０６５＜SUM(ΔθgF2N)＜０．２００    ‥‥‥（１）
０．４＜φ2SUM／φ2＜２．０                ‥‥‥（２）
なる条件式を満足している。
【００３３】
次に前述の各条件式の技術的意味について説明する。条件式（１）は第２レンズ群Ｌ２の負レンズの材料における異常部分分散比に関する。前述したように、第２レンズ群Ｌ２の負レンズの材料において、異常部分分散比ΔθgFが正となる材料を用いた負レンズを使用すれば倍率色収差を容易に補正することができる。よって、第２レンズ群Ｌ２全体として第２レンズ群Ｌ２の負レンズの材料の異常部分分散比ΔθgFが正の値で、かつ他の要素を適切に調節すれば良い。
【００３４】
しかしながら、条件式（１）の上限値を超えると、第２レンズ群Ｌ２全系として負レンズの材料の異常分散特性が大きくなり過ぎてしまい、倍率色収差が過補正となってしまう。一方、条件式（１）の下限値を超えると、倍率色収差が残存してしまい好ましくない。条件式（１）は更に好ましくは次の如く設定するのが良い。
【００３５】
０．０７０＜SUM(ΔθgF2N)＜０．２００    ‥‥‥（１ａ）
条件式（２）は第２レンズ群Ｌ２の負レンズのパワーに関する。前述したように倍率色収差を補正するためには、異常部分分散比ΔθgFが正となる材料を用いた負レンズを用いればよい。このとき負レンズに比較的強いパワーをつけないと、効率良く倍率色収差を補正するのが難しくなる。しかし負レンズにパワーをつけすぎると、レンズ面の曲率がきつくなり、色収差以外の、像面湾曲やコマ収差が多く発生してくる。
【００３６】
そこで本発明では、負レンズに適切なパワーを付与している。条件式（２）の上限値を超えると、第２レンズ群Ｌ２中の異常部分分散比ΔθgFの平均値以上の材料よりなる負レンズのパワーが大きくなり過ぎてしまい、倍率色収差が過補正となってしまう。また像面湾曲やコマ収差とのバランスも保てなくなるため好ましくない。一方、条件式（２）の下限値を超えると、倍率色収差が補正不足となり好ましくない。条件式（２）は更に好ましくは次の如く設定するのが良い。
【００３７】
０．４５＜φ2SUM／φ2＜１．７                ‥‥‥（２ａ）
条件式（２ａ）は更に好ましくは次の如く設定するのが良い。
【００３８】
０．４５＜φ2SUM／φ2＜１．５                ‥‥‥（２ｂ）
以上のように各実施例によれば、ズーム全域で倍率色収差を良好に補正しつつ画面全体に渡って高画質なズームレンズを得ている。
【００３９】
各実施例において更に好ましくは次に述べる条件のうち少なくとも１つを満足するのが良く、これによれば更なる高い光学性能が容易に得られる。第２レンズ群Ｌ２に含まれる少なくとも１つの負レンズの材料のアッベ数をν2Nとする。第１レンズ群Ｌ１に含まれる正レンズの材料の異常部分分散比ΔθgFの総和をSUM(ΔθgF1P)とする。第１レンズ群Ｌ１の焦点距離をf1、第２レンズ群Ｌ２の焦点距離をf2、第３レンズ群Ｌ３の焦点距離をf3、広角端における全系の焦点距離をfw、望遠端における全系の焦点距離をftとする。
【００４０】
第２レンズ群Ｌ２に含まれる正レンズのうち少なくとも１つの正レンズの材料の異常部分分散比ΔθgF2P、第２レンズ群Ｌ２に含まれる正レンズのうち少なくとも１つの正レンズの材料の屈折率をN2Pとする。このとき、
７０＜ν2N＜１００                      ‥‥‥（３）
０．０３０＜SUM(ΔθgF1P)＜０．３００  ‥‥‥（４）
２．０＜f1／√（fw×ft）＜１０．０      ‥‥‥（５）
−１．５＜f2／√（fw×ft）＜−０．５    ‥‥‥（６）
−１０．０＜f1／f2＜−１．０            ‥‥‥（７）
０．０５＜｜f2／f3｜＜０．６０          ‥‥‥（８）
−０．０５０＜ΔθgF2P＜０．０１７      ‥‥‥（９）
１．４０＜N2P＜１．７０                ‥‥‥（１０）
なる条件式のうち１以上を満足するのが良い。
【００４１】
次に前述の各条件式の技術的意味について説明する。条件式（３）は第２レンズ群Ｌ２に含まれる少なくとも１つの負レンズの材料のアッベ数に関する。即ち条件式（３）を満足する負レンズを１以上有するのが良い。条件式（３）の上限値を超えると、第２レンズ群Ｌ２に含まれる負レンズの材料が低分散になりすぎるため、積極的に色収差の補正を行うためには強いパワーをつけなくてはならない。そうするとレンズ面の曲率半径が小さくなり、像面湾曲の補正が困難になる。
【００４２】
一方、条件式（３）の下限値を超えると、比較的屈折率の高い硝材が存在するため像面湾曲など色収差以外の収差補正が容易になる。しかしながら、この領域の硝材は一般に異常分散特性に乏しいためＣ線とＦ線の間の倍率色収差の補正と、ｇ線とＦ線の間の倍率色収差の補正を良好に行なうのが困難になる。条件式（３）は更に好ましくは次の如く設定するのが良い。
【００４３】
７５＜ν2N＜９８                      ‥‥‥（３ａ）
条件式（４）は第１レンズ群Ｌ１に含まれる正レンズにおける、材料の異常分散特性に関する。各実施例においては条件式（１）において、第２レンズ群Ｌ２の負レンズの材料に異常部分分散比ΔθgFが正でかつ値自体も比較的大きい材料を使用することで広角端付近の倍率色収差の補正を行っている。しかしこのままでは、広角端付近の倍率色収差の補正と相反関係にある望遠端付近でのｇ線とＦ線間の倍率色収差が残存してしまうことがある。
【００４４】
そこでこの望遠端付近で残存する倍率色収差を補正するために、望遠端付近で軸外主光線がレンズの周辺部分を通過する第１レンズ群Ｌ１のレンズ構成を適切に設定している。この第１レンズ群Ｌ１の正レンズの材料に異常部分分散比ΔθgFの値が正で、かつ値自体も比較的大きい材料を使用して望遠端付近のｇ線とＦ線の倍率色収差の補正を行うのが良い。しかしながら条件式（４）の上限値を超えると、望遠端付近でのｇ線とＦ線間の倍率色収差が補正過剰になってしまうので好ましくない。
【００４５】
一方、条件式（４）の下限値を超えると、望遠端付近のｇ線とＦ線間の倍率色収差が補正不足となり、また望遠端付近のｇ線とＦ線間の軸上色収差も補正不足となるため好ましくない。条件式（４）は更に好ましくは次の如く設定するのが良い。
【００４６】
０．０３５＜SUM(ΔθgF1P)＜０．３００  ‥‥‥（４ａ）
条件式（５）は第１レンズ群Ｌ１の焦点距離に関する。条件式（５）の上限値を超えると、全系の焦点距離に比較して第１レンズ群Ｌ１の焦点距離が長くなりすぎてしまう。そうすると全長が長くなり全系が大型化してくる。一方、条件式（５）の下限値を超えると、全系の焦点距離に比較して第１レンズ群Ｌ１の焦点距離が短くなりすぎてしまう。そうすると広角端領域と望遠端領域の両方でコマ収差と像面湾曲を良好に補正するのが困難になる。条件式（５）は更に好ましくは次の如く設定するのが良い。
【００４７】
２．５＜f1／√（fw×ft）＜８．０      ‥‥‥（５ａ）
条件式（６）は第２レンズ群Ｌ２の焦点距離に関する。条件式（６）の上限値を超えると、第２レンズ群Ｌ２のパワーが強くなり、ズーム全域で像面湾曲を良好に補正することが難しくなる。一方、条件式（６）の下限値を超えると、第２レンズ群Ｌ２のパワーが弱くなり、ズーミングに際して第２レンズ群Ｌ２の移動量が増加し、装置全体が大型化してくる。条件式（６）は更に好ましくは次の如く設定するのが良い。
【００４８】
−１．３＜f2／√（fw×ft）＜−０．９    ‥‥‥（６ａ）
条件式（７）は第１レンズ群Ｌ１と第２レンズ群Ｌ２の焦点距離の比に関する。条件式（７）の上限値又は下限値を超えると、広角端領域と望遠端領域の両方で色収差やコマ収差、そして像面湾曲を良好に補正するのが困難になる。条件式（７）は更に好ましくは次の如く設定するのが良い。
【００４９】
−７．０＜f1／f2＜−２．０              ‥‥‥（７ａ）
条件式（８）は第２レンズ群Ｌ２と第３レンズ群Ｌ３の焦点距離の比に関する。条件式（８）の上限値又は下限値を超えると、主に広角端側で像面湾曲の補正が難しくなる。条件式（８）は更に好ましくは次の如く設定するのが良い。
【００５０】
０．０７＜｜f2／f3｜＜０．４５          ‥‥‥（８ａ）
条件式（８ａ）は更に好ましくは次の如く設定するのが良い。
【００５１】
０．１０＜｜f2／f3｜＜０．４０          ‥‥‥（８ｂ）
条件式（９）は第２レンズ群Ｌ２に含まれる正レンズの材料の異常部分分散比に関する。条件式（９）の上限値を超えると、主に広角端側でｇ線とＦ線間の倍率色収差が残存してくる。一方、条件式（９）の下限値を超えると、主に広角端側でｇ線とＦ線間の倍率色収差が補正過剰となる。条件式（９）は更に好ましくは次の如く設定するのが良い。
【００５２】
−０．０５０＜ΔθgF2P＜０．０１０      ‥‥‥（９ａ）
条件式（１０）は第２レンズ群Ｌ２に含まれる正レンズの材料の屈折率に関する。条件式（１０）の上限値を超えると、ペッツバール和が悪化し、主に広角端側で像面湾曲を低減させることが困難になる。一方、条件式（１０）の下限値を超えると、屈折率が小さくなり、パワーを保つためにはレンズ面の曲率半径を小さくしなければならない。そうすると基準波長におけるコマ収差等の収差補正が困難になるため好ましくない。条件式（１０）は更に好ましくは次の如く設定するのが良い。
【００５３】
１．４５＜N2P＜１．６７              ‥‥‥（１０ａ）
以下、各実施例において前述した以外の好ましい構成について説明する。後続レンズ群群Ｌｒは、最も物体側に正の屈折力の第４レンズ群を有している。ズーミングに際しては少なくとも第２レンズ群Ｌ２と第３レンズ群Ｌ３と第４レンズ群Ｌ４が光軸上を移動することが好ましい。特に広角端から望遠端へのズーミングに際して第２レンズ群Ｌ２は像側へ単調に移動し、第３レンズ群Ｌ３は第２レンズ群Ｌ２との間隔が変化するように移動し、第４レンズ群Ｌ４は第３レンズ群Ｌ３との間隔が変化するように移動するのが良い。
【００５４】
特に好ましくは、広角端から望遠端へのズーミングに際して、第２レンズ群Ｌ２は像側へ単調に移動する。そして第３レンズ群Ｌ３は第２レンズ群Ｌ２との間隔が変化するように物体側に凸状の軌跡を描いて移動し、第４レンズ群Ｌ４は第３レンズ群Ｌ３との間隔が変化するように移動するのが良い。このように各レンズ群を移動させることにより、ズーム全域にわたって像面湾曲を良好に補正することが容易となる。
【００５５】
そして、第２レンズ群Ｌ２は、物体側から像側へ順に、像側に凹面を向けた負レンズと像側に凹面を向けた負レンズを配置することが好ましい。そして更に２つの像側に凹面を向けた負レンズよりも像側に、２つ以上の負レンズと、１つ以上の正レンズを有することが好ましい。
【００５６】
こうすることで、最初の２枚の負レンズで倍率色収差を補正しつつ、像面湾曲を補正している。そして更に像側に負レンズを少なくとも２枚配置することで、第２レンズ群Ｌ２内の負レンズのパワーを分散させて、負レンズの材料の低屈折率化によってレンズ面の曲率がきつくなりすぎることを防いでいる。また正レンズを少なくとも１枚配置することで、負レンズで発生した像面湾曲やコマ収差を補正している。
【００５７】
具体的には、第２レンズ群は物体側から像側へ順に、像側に凹面を向けた負レンズ、像側に凹面を向けた負レンズ、正レンズと負レンズを接合した接合レンズ、正レンズと負レンズを接合した接合レンズより構成するのが良い。又は前記第２レンズ群は物体側から像側へ順に、像側に凹面を向けた負レンズ、像側に凹面を向けた負レンズ、負レンズ、負レンズ、正レンズより構成するのが良い。以上のように各実施例によれば画面内全体に渡って色収差を補正し、高い光学性能を持ったズームレンズが得られる。
【００５８】
次に各実施例のレンズ構成の特徴について説明する。各レンズに付した符号のレンズは前述した各レンズに付した符号のレンズと対応している。図１の実施例１のズームレンズＬ０は、物体側から像側へ順に正の屈折力を有する第１レンズ群Ｌ１、負の屈折力を有する第２レンズ群Ｌ２、負の屈折力を有する第３レンズ群Ｌ３、後群Ｌｒより構成されている。後群Ｌｒは正の屈折力を有する第４レンズ群Ｌ４で構成されている。広角端から望遠端にかけてのズーミングに際しては、第２レンズ群Ｌ２と、第３レンズ群Ｌ３と、第４レンズ群Ｌ４が独立に移動する。
【００５９】
具体的には第２レンズ群Ｌ２が光軸上を像側へ移動し、第３レンズ群Ｌ３と第４レンズ群Ｌ４は、一度物体側へ移動した後に、像側へ戻るような物体側へ凸状の軌跡で移動する。開口絞りＳＰは第３レンズ群Ｌ３と第４レンズ群Ｌ４の間に設けられており、ズーミングに際して第４レンズ群Ｌ４と一体となって移動している。第２レンズ群Ｌ２の最も物体側の負レンズの物体側のレンズ面と、２枚目の負レンズ物体側のレンズ面と、２枚目の正レンズの物体側のレンズ面、そして第４レンズ群Ｌ４の最も物体側のレンズの物体側のレンズ面は非球面形状である。
【００６０】
無限遠物体から近距離物体へのフォーカシングは第１レンズ群Ｌ１の部分群Ｌ１Ｆ（最も物体側から５枚目のレンズから７枚目のレンズまで）を像面側へ移動させることで行なっている。図３の実施例２のズームレンズＬ０は、正の屈折力を有する第１レンズ群Ｌ１、負の屈折力を有する第２レンズ群Ｌ２、負の屈折力を有する第３レンズ群Ｌ３を有している。第３レンズ群Ｌ３の像側には後群Ｌｒとして、正の屈折力を有する第４レンズ群Ｌ４、正の屈折力を有する第５レンズ群Ｌ５、正の屈折力を有する第６レンズ群Ｌ６を有している。
【００６１】
実施例２は６つのレンズ群よりなる６群ズームレンズである。広角端から望遠端にかけてのズーミングに際しては、第２レンズ群Ｌ２から第６レンズ群Ｌ６までのレンズ群が独立に移動する。具体的には第２レンズ群Ｌ２が光軸上を像側へ移動し、第３レンズ群Ｌ３と第４レンズ群Ｌ４は、一度物体側へ移動した後に、像側へ戻るような物体側に凸状の軌跡で移動している。また第５レンズ群Ｌ５は各レンズ群の間隔が変化するように物体側へ移動している。第６レンズ群Ｌ６は物体側に凸状の軌跡で移動している。
【００６２】
開口絞りＳＰは第３レンズ群Ｌ３と第４レンズ群Ｌ４の間に設けられており、ズーミングに際して第４レンズ群Ｌ４と一体となって移動している。第２レンズ群Ｌ２の最も物体側の負レンズの物体側のレンズ面と、２枚目の負レンズ物体側のレンズ面と、２枚目の正レンズの物体側のレンズ面、そして第４レンズ群Ｌ４の最も物体側のレンズの物体側のレンズ面は非球面形状である。無限遠物体から近距離物体へのフォーカシングは第１レンズ群Ｌ１の部分群（最も物体側から５枚目のレンズから７枚目のレンズまで）を像面側へ移動させることで行なっている。
【００６３】
図５の実施例３のズームレンズＬ０は、正の屈折力を有する第１レンズ群Ｌ１、負の屈折力を有する第２レンズ群Ｌ２、負の屈折力を有する第３レンズ群Ｌ３を有している。第３レンズ群Ｌ３の像側には後群Ｌｒとして、正の屈折力を有する第４レンズ群Ｌ４、正の屈折力を有する第５レンズ群Ｌ５、正の屈折力を有する第６レンズ群Ｌ６を有している。実施例３は６つのレンズ群よりなる６群ズームレンズである。広角端から望遠端にかけてのズーミングに際しては、第２レンズ群Ｌ２から第５レンズ群Ｌ５までのレンズ群が独立に移動する。
【００６４】
具体的には第２レンズ群Ｌ２が光軸上を像側へ移動し、第３レンズ群Ｌ３と第４レンズ群Ｌ４は、一度物体側へ移動した後に、像側へ戻るような物体側に凸状の軌跡で移動している。また第５レンズ群Ｌ５は物体側へ移動している。開口絞りＳＰは第３レンズ群Ｌ３と第４レンズ群Ｌ４の間に設けられており、ズーミングに際しては第４レンズ群Ｌ４と一体となって移動している。
【００６５】
第２レンズ群Ｌ２の最も物体側の負レンズの物体側のレンズ面と、２枚目の負レンズ物体側のレンズ面と、２枚目の正レンズの物体側のレンズ面、そして第４レンズ群Ｌ４の最も物体側のレンズの物体側のレンズ面は非球面形状である。無限遠物体から近距離物体へのフォーカシングは第１レンズ群Ｌ１の部分群（最も物体側から５枚目のレンズから７枚目のレンズまで）を像面側へ移動させることで行なっている。
【００６６】
図7の実施例４のズームレンズＬ０は、正の屈折力を有する第１レンズ群Ｌ１、負の屈折力を有する第２レンズ群Ｌ２、正の屈折力を有する第３レンズ群Ｌ３を有している。第３レンズ群Ｌ３の像側には後群Ｌｒとして、正の屈折力を有する第４レンズ群Ｌ４、正の屈折力を有する第５レンズ群Ｌ５を有している。広角端から望遠端にかけてのズーミングに際しては、第２レンズ群Ｌ２から第５レンズ群Ｌ５までのレンズ群が独立に移動する。具体的には第２レンズ群Ｌ２が像側へ光軸上を移動し、第３レンズ群Ｌ３は、一度物体側へ移動した後に、像側へ戻るような物体側へ凸状の軌跡で移動している。
【００６７】
また第４レンズ群Ｌ４と第５レンズ群Ｌ５は各レンズ群の間隔が変化するように物体側に凸状の軌跡で移動している。開口絞りＳＰは第２レンズ群Ｌ２と第３レンズ群Ｌ３の間に設けられており、ズーミングに際して第３レンズ群Ｌ３と一体となって移動している。第２レンズ群Ｌ２の最も物体側の負レンズの物体側のレンズ面と、第３レンズ群Ｌ３の最も物体側のレンズの物体側のレンズ面、第５レンズ群Ｌ５の物体側から２番目のレンズの像側のレンズ面は非球面形状である。
【００６８】
無限遠物体から近距離物体へのフォーカシングは第１レンズ群Ｌ１の部分群（最も物体側から５枚目のレンズから７枚目のレンズまで）を像面側へ移動させることで行なっている。図９の実施例５のズームレンズＬ０は、正の屈折力を有する第１レンズ群Ｌ１、負の屈折力を有する第２レンズ群Ｌ２、正の屈折力を有する第３レンズ群Ｌ３、後群Ｌｒより構成されている。後群Ｌｒは正の屈折力を有する第４レンズ群Ｌ４で構成されている。広角端から望遠端にかけてのズーミングに際しては、第１レンズ群Ｌ１から第４レンズ群Ｌ４までのレンズ群が独立に移動する。具体的には第１レンズ群Ｌ１は光軸上を物体側へ移動する。
【００６９】
第２レンズ群Ｌ２が光軸上を像側へ移動し、第３レンズ群Ｌ３は物体側に凸状の軌跡で移動している。そして第４レンズ群Ｌ４は広角端から中間ズーム位置までは像側に、中間ズーム位置から望遠端にかけては物体側に移動している。すなわち像側に凸状の軌跡で移動している。開口絞りＳＰは第３レンズ群Ｌ３の中に設けられており、ズーミングに際して第３レンズ群Ｌ３と一体となって移動している。
【００７０】
第２レンズ群Ｌ２の最も物体側の負レンズの物体側のレンズ面と、２番目の負レンズの像側のレンズ面、物体側から２枚目の正レンズ（物体側から５番目のレンズ）の物体側のレンズ面は非球面形状である。また第３レンズ群Ｌ３の最も物体側のレンズの物体側のレンズ面、第４レンズ群Ｌ４の最も像側のレンズの像側のレンズ面にも非球面形状である。無限遠物体から近距離物体へのフォーカシングは第４レンズ群Ｌ４を物体側へ移動させるリアフォーカス式を用いている。
【００７１】
第４レンズ群Ｌ４に関する実線の曲線４ａと点線の曲線４ｂは、各々無限遠物体と近距離物体にフォーカスしているときの変倍に伴う像面変動を補正するための移動軌跡である。望遠端において無限遠物体から近距離物体へフォーカスを行う場合には、矢印４ｃに示すように第４レンズ群Ｌ４を前方に繰り出すことで行っている。以上、本発明の好ましい実施形態について説明したが、本発明はこれらの実施形態に限定されず、フォーカシング機能を有するレンズの位置や光学防振機能の付加など、その要旨の範囲内で種々の変形及び変更が可能である。このように実施例１〜５の光学系を放送用テレビカメラ、ビデオカメラ、スチルカメラ等に適用することにより、高い光学性能を有するズームレンズを実現することができる。
【００７２】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。θgFは部分分散比、ΔθgFは異常部分分散比を表す。ｆ、Fno、２ωはそれぞれ無限遠物体に焦点を合わせたときの全系の焦点距離、Ｆナンバー、画角（度）を表している。非球面形状は光軸方向にＸ軸、光軸と垂直方向にＨ軸、光の進行方向を正、Ｒを近軸曲率半径、ｋを離心率、A4、A6、A8、A10、A12を各々非球面係数としたとき、
【００７３】
【数１】
0005615143.tif 000002
【００７４】
なる式で表している。また例えば「ｅ−Ｚ」の表示は「１０−Ｚ」を意味する。そして、前述の各条件式と数値実施例における諸数値との関係を（表−１）に示す。バックフォーカスはガラスブロックＧの最も像側の面からの距離である。
【００７５】
（数値実施例１）
f= 10.26〜117.82mm  Fno=1.84〜1.97  ２ω=75.9〜7.76
面番号         r        d      nd       νd     有効径    θgF    ΔθgF
1          114.675    3.80   1.73400  51.5    140.31  0.54839  -0.00980
2           73.792   31.92                    121.50
3         2095.870    3.30   1.69680  55.5    120.65  0.54343  -0.00821
4          192.718   20.29                    114.50
5         -159.094    3.20   1.65160  58.5    113.98  0.54178  -0.00497
6          261.732    0.20                    114.39
7          184.195   12.68   1.80518  25.4    115.46  0.61655   0.01623
8        -1163.336    9.60                    115.23
9         -212.650    5.54   1.49700  81.5    114.30  0.53859   0.02916
10         -163.012    1.90                    114.29
11         -784.594   21.13   1.49700  81.5    110.44  0.53859   0.02916
12          -92.044    3.60   1.73800  32.3    111.40  0.59029   0.00104
13         -137.298   16.53                    115.16
14          628.667    3.80   1.72342  38.0    115.45  0.58342   0.00336
15          108.126   19.92   1.49700  81.5    114.20  0.53859   0.02916
16         -563.173    0.20                    114.27
17          167.640   19.59   1.43387  95.1    115.04  0.53728   0.04975
18         -191.011    0.20                    114.94
19          144.520    7.71   1.59282  68.6    104.20  0.54461   0.01428
20          384.506  (可変)                    103.25
21(非球面) -228.745    3.00   1.43875  94.9     52.12  0.53463   0.04681
22           31.010   10.97                     41.19
23(非球面)40992.744    2.00   1.43875  94.9     40.74  0.53463   0.04681
24           40.333    4.44                     39.35
25          143.131    8.84   1.63980  34.5     39.55  0.59213   0.00644
26          -35.405    2.00   1.59282  68.6     39.65  0.54461   0.01428
27         -292.730    0.79                     39.87
28(非球面) -102.256    3.84   1.48749  70.2     39.84  0.53026   0.00244
29          -83.218    2.50   1.80809  22.8     39.66  0.63070   0.02607
30         -189.403  (可変)                     39.71
31          -86.554    1.70   1.77250  49.6     35.79
32          414.720    2.90   1.84666  23.9     36.91
33         -354.912  (可変)                     37.44
34(絞り)      ∞       1.50                     38.93
35(非球面)   74.233    7.20   1.67003  47.2     40.62
36          -83.618    2.00   1.49700  81.5     40.68
37           45.850    1.01                     40.45
38           46.839    8.73   1.48749  70.2     40.95
39         -122.373    1.80   1.90200  25.1     40.92
40         -260.922   43.82                     41.08
41          864.110    5.68   1.80809  22.8     40.87
42          -68.793    0.20                     41.05
43          -91.199    2.00   1.90200  25.1     40.65
44           49.390    8.93   1.49700  81.5     40.86
45         -167.043    0.20                     41.79
46          195.239    3.00   1.80809  22.8     42.61
47         -673.864    1.74                     42.71
48           67.387   11.00   1.49700  81.5     43.12
49          -53.899    1.80   1.90200  25.1     42.59
50          175.569    0.20                     42.96
51          110.578    6.69   1.80809  22.8     43.28
52          -92.451  (可変)                     43.27
53            ∞      50.00   1.69680  55.5     37.38
54            ∞      19.00   1.51633  64.1     25.26
55            ∞       9.81                     20.10
像面          ∞   
第２レンズ群の負レンズの平均ΔθgF=0.03349
【００７６】
非球面データ
第21面
K =-1.07833e+002  A 4= 3.60350e-006  A 6=-7.00622e-010  A 8=-1.42258e-012
A10= 2.58562e-015  A12=-9.84999e-019  
第23面
K =-1.16441e+012  A 4=-1.24941e-005  A 6=-1.03691e-008  A 8= 1.00768e-011
A10= 3.02421e-015  
第28面
K =-1.37233e+001  A 4= 6.53390e-006  A 6= 5.79236e-009  A 8=-2.37693e-012
A10=-8.63406e-015  A12= 7.76432e-018  
第35面
K =-9.25857e+000  A 4= 1.86882e-006  A 6=-1.59493e-009  A 8= 4.52599e-013
A10= 8.55681e-016  A12=-9.64587e-019  
各種データ
ズーム比     11.48 
焦点距離      10.26    32.43    58.95    89.33   117.82  
Fナンバー      1.84     1.84     1.84     1.84     1.97  
半画角（度）   37.95    13.86     7.73     5.12     3.88  
像高           8.00     8.00     8.00     8.00     8.00  
レンズ全長   564.47   564.47   564.47   564.47   564.47  
BF             9.81     9.81     9.81     9.81     9.81  
d20            3.91    84.27   109.39   122.33   128.92  
d30          131.36    31.51     5.66     1.95     6.97  
d33            3.20    22.03    22.62    13.52     2.04  
d52           11.57    12.22    12.35    12.23    12.11  
入射瞳位置   103.60   190.05   262.61   328.34   376.56  
射出瞳位置   920.84   920.19   920.05   920.17   920.29  
前側主点位置 113.98   223.64   325.38   426.43   509.63  
後側主点位置  -0.45   -22.62   -49.14   -79.52  -108.01  
ズームレンズ群データ
群  始面    焦点距離  レンズ構成長  前側主点位置  後側主点位置
1    1     109.10       185.13       130.72         77.53
2   21     -40.63        38.38         5.06        -24.73
3   31    -158.58         4.60        -0.98         -3.54
4   34      75.12       107.51        80.96        -66.80
G   53       ∞          69.00        21.00        -21.00
単レンズデータ
レンズ  始面  焦点距離
1       1   -293.55
2       3   -304.80
3       5   -151.40
4       7    198.32
5       9    1354.89
6      11    207.71
7      12   -391.62
8      14   -181.07
9      15    184.33
10      17    209.24
11      19    385.98
12      21    -62.02
13      23    -92.02
14      25     45.24
15      26    -68.14
16      28    860.06
17      29   -185.64
18      31    -92.56
19      32    226.27
20      35     59.78
21      36    -59.28
22      38     70.68
23      39   -257.08
24      41     79.07
25      43    -35.28
26      44     77.76
27      46    187.62
28      48     62.13
29      49    -45.55
30      51     63.24
31      53      0.00
32      54      0.00
【００７７】
（数値実施例２）
f=10.26〜118.00mm  Fno=1.84〜2.05  ２ω=75.88〜7.76
面番号         r        d        nd     νd    有効径   θgF     ΔθgF
1          108.125    3.80   1.73400  51.5   143.89  0.54839  -0.00980
2           75.013   38.66                   125.89
3         -865.692    3.30   1.69680  55.5   123.60  0.54343  -0.00821
4          188.720   20.11                   116.44
5         -176.020    3.20   1.65160  58.5   116.04  0.54178  -0.00497
6          356.974    0.20                   117.08
7          205.680   13.12   1.80518  25.4   118.38  0.61655   0.01623
8         -725.579    6.90                   118.19
9         -335.149    5.54   1.43875  94.9   116.90  0.53463   0.04681
10         -226.278    1.90                   116.58
11        -2802.317   21.07   1.43875  94.9   113.01  0.53463   0.04681
12          -94.953    3.60   1.73800  32.3   112.14  0.59029   0.00104
13         -129.159   17.99                   112.57
14          407.802    3.80   1.72342  38.0   106.27  0.58342   0.00336
15          113.599   16.26   1.43875  94.9   104.33  0.53463   0.04681
16         -550.324    0.20                   104.35
17          173.376   15.49   1.43387  95.1   103.82  0.53728   0.04975
18         -219.949    0.20                   103.52
19          117.682    9.48   1.43875  94.9    95.84  0.53463   0.04681
20          426.593  (可変)                    94.98
21(非球面) -121.925    3.00   1.49700  81.5    49.46  0.53859   0.02916
22           36.271    9.15                    40.00
23(非球面)24717.452    2.00   1.49700  81.5    39.49  0.53859   0.02916
24           45.084    4.41                    38.21
25          510.522    7.22   1.59551  39.2    38.35  0.57971   0.00172
26          -36.644    2.00   1.59282  68.6    38.53  0.54461   0.01428
27         -362.631    0.49                    39.41
28(非球面) -143.387    3.84   1.48749  70.2    39.57  0.53026   0.00244
29          -84.066    2.50   1.85026  32.3    39.57  0.59339   0.00416
30         -102.570  (可変)                    39.84
31          -91.487    1.70   1.77250  49.6    34.90
32          199.283    2.90   1.84666  23.9    36.01
33        -2394.301  (可変)                    36.51
34(絞り)      ∞       1.50                    37.44
35(非球面)   72.901    7.20   1.67003  47.2    39.24
36          -73.672    2.00   1.49700  81.5   39.36
37           43.445    0.49                   39.38
38           44.221    8.73   1.48749  70.2   39.64
39          -99.076    1.80   1.90200  25.1   39.67
40         -175.164  (可変)                   39.93
41         3508.689    5.68   1.80809  22.8   41.09
42          -64.225    0.20                   41.31
43          -81.532    2.00   1.90200  25.1   40.92
44           50.385    8.93   1.49700  81.5   41.39
45         -146.128    0.20                   42.35
46          227.531    3.00   1.80809  22.8   43.29
47         -499.398  (可変)                   43.44
48           67.979   11.00   1.49700  81.5   44.09
49          -54.919    1.80   1.90200  25.1   43.65
50          349.443    0.20                   44.11
51          142.425    6.69   1.80809  22.8   44.41
52          -93.241  (可変)                   44.39
53            ∞      50.00   1.69680  55.5   38.39
54            ∞      19.00   1.51633  64.1   25.74
55            ∞       9.96                   20.35
像面          ∞   
第２レンズ群の負レンズの平均ΔθgF=0.01919
【００７８】
非球面データ
第21面
K =-5.34894e+001  A 4= 3.11630e-006  A 6= 1.37440e-009  A 8=-5.49735e-012
A10= 8.10530e-015  A12=-4.29400e-018  
第23面
K =-9.42642e+011  A 4=-1.55957e-005  A 6=-8.86145e-009  A 8= 1.41958e-011
A10= 5.92689e-015  
第28面
K =-4.65785e+001  A 4= 7.12735e-006  A 6= 7.08669e-009  A 8=-1.39051e-011
A10= 6.71270e-015  A12=-3.12588e-018  
第35面
K =-8.66826e+000  A 4= 1.64749e-006  A 6=-1.50285e-009  A 8= 5.90584e-013
A10= 3.20965e-016  A12=-4.34636e-019  
各種データ
ズーム比     11.50 
焦点距離      10.26    32.72    59.13    89.28   118.00  
Fナンバー      1.84     1.89     1.91     1.91     2.05  
半画角（度）   37.94    13.74     7.70     5.12     3.88  
像高           8.00     8.00     8.00     8.00     8.00  
レンズ全長   565.05   565.05   565.05   565.05   565.05  
BF             9.96     9.96     9.96     9.96     9.96  
d20            4.90    78.12   103.55   117.09   124.10  
d30          129.50    29.49     5.25     2.00     6.28  
d33            2.00    16.26    17.45    10.80     2.08  
d40           51.37    49.93    44.14    39.24    36.19  
d47            1.79    14.44    18.18    20.00    20.89  
d52           11.06    12.37    12.05    11.48    11.07  
入射瞳位置   109.61   188.96   259.53   329.73   386.74  
射出瞳位置   323.53   240.00   281.00   343.45   402.37  
前側主点位置 120.21   226.34   331.57   442.91   540.22  
後側主点位置  -0.30   -22.76   -49.17   -79.32  -108.04  
ズームレンズ群データ
群  始面    焦点距離  レンズ構成長  前側主点位置  後側主点位置
1    1     109.38       184.83       133.20         69.20
2   21     -39.54        34.62         2.53        -25.77
3   31    -129.74         4.60        -0.16         -2.69
4   34      84.29        21.72         4.03        -10.71
5   41     380.95        20.02        23.39         11.78
6   48      88.04        19.69         7.04         -5.78
G   53       ∞          69.00        21.00        -21.00
単レンズデータ
レンズ  始面  焦点距離
1       1   -350.76
2       3   -222.08
3       5   -180.50
4       7    200.29
5       9    1563.36
6      11    223.48
7      12   -508.54
8      14   -218.85
9      15    216.23
10      17    226.15
11      19    366.97
12      21    -55.89
13      23    -90.88
14      25     57.70
15      26    -68.92
16      28    408.17
17      29   -584.33
18      31    -80.96
19      32    217.40
20      35     55.79
21      36    -54.68
22      38     64.00
23      39   -255.73
24      41     78.10
25      43    -34.28
26      44     76.54
27      46    193.79
28      48     62.99
29      49    -52.51
30      51     70.63
31      53      0.00
32      54      0.00
【００７９】
（数値実施例３）
f= 10.24〜117.54mm  Fno=1.84〜2.04  ２ω=75.98〜7.78°
面番号         r        d      nd       νd    有効径    θgF      ΔθgF
1          115.415    3.80   1.73400  51.5   147.96   0.54839  -0.00980
2           79.075   38.06                   129.89
3        -2714.558    3.30   1.69680  55.5   126.43   0.54343  -0.00821
4          202.956   20.19                   119.42
5         -178.104    3.20   1.65160  58.5   118.94   0.54178  -0.00497
6          265.064    0.20                   119.06
7          192.226   13.24   1.80518  25.4   120.03   0.61655   0.01623
8        -1094.011   10.97                   119.79
9         -243.636    5.54   1.59282  68.6   118.12   0.54461   0.01428
10         -189.694    1.90                   118.11
11        -4132.475   21.16   1.49700  81.5   113.54   0.53859   0.02916
12          -95.758    3.60   1.73800  32.3   112.68   0.59029   0.00104
13         -145.706   17.47                   112.53
14          682.283    3.80   1.72342  38.0   107.17   0.58342   0.00336
15          110.546   16.81   1.49700  81.5   105.52   0.53859   0.02916
16         -601.808    0.20                   105.56
17          162.777   16.04   1.43387  95.1   105.20   0.53728   0.04975
18         -219.082    0.20                   104.99
19          127.978    7.98   1.59282  68.6    95.89   0.54461   0.01428
20          346.641  (可変)                    94.87
21(非球面)  207.601    3.00   1.80400  46.6    46.98   0.55736  -0.00874
22           32.768    8.87                    39.74
23(非球面)22490.474    2.00   1.43875  94.9    39.29   0.53463   0.04681
24           35.173    3.57                    38.08
25           68.337   10.78   1.62588  35.7    38.36   0.58894   0.00521
26          -35.923    2.00   1.59282  68.6    38.37   0.54461   0.01428
27          118.940    3.34                    38.17
28(非球面)  -99.541    3.84   1.48749  70.2    38.35   0.53026   0.00244
29          -60.421    2.50   1.80809  22.8    38.43   0.63070   0.02607
30          -72.114  (可変)                    38.92
31          -94.270    1.70   1.77250  49.6    35.60
32          244.273    2.90   1.84666  23.9    36.69
33         -907.578  (可変)                    37.19
34(絞り)      ∞       1.50                    38.21
35(非球面)   69.381    7.20   1.67003  47.2    40.06
36          -86.948    2.00   1.49700  81.5   40.12
37           43.108    0.80                   39.91
38           44.836    8.73   1.48749  70.2   40.28
39         -128.936    1.80   1.90200  25.1   40.28
40         -241.268  (可変)                   40.45
41        -1036.950    5.68   1.80809  22.8   41.76
42          -61.516    0.20                   42.02
43          -76.787    2.00   1.90200  25.1   41.62
44           52.885    8.93   1.49700  81.5   42.28
45         -104.631    0.20                   43.06
46          122.443    3.00   1.80809  22.8   44.42
47          509.733  (可変)                    44.42
48           71.393   11.00   1.49700  81.5   44.68
49          -55.309    1.80   1.90200  25.1   44.20
50          280.326    0.20                   44.59
51          126.944    6.69   1.80809  22.8   44.92
52          -99.498   11.04                   44.86
53            ∞      50.00   1.69680  55.5   38.86
54            ∞      19.00   1.51633  64.1   26.05
55            ∞      10.43                   20.60
像面          ∞   
第２レンズ群の負レンズの平均ΔθgF=0.01961
【００８０】
非球面データ
第21面
K =-5.42851e+001  A 4= 6.10195e-007  A 6= 1.33912e-009  A 8=-3.46471e-012
A10= 2.25922e-015  A12=-1.16526e-018  
第23面
K =-8.88662e+011  A 4=-4.71106e-006  A 6=-1.10397e-008  A 8= 7.79524e-012
A10= 1.05223e-014  
第28面
K =-8.56471e+000  A 4= 5.69819e-006  A 6= 6.14121e-009  A 8=-1.13450e-013
A10=-7.09504e-015  A12= 8.86924e-018  
第35面
K =-6.91952e+000  A 4= 1.57747e-006  A 6=-1.27029e-009  A 8= 9.23707e-013
A10=-7.26980e-016  A12= 3.81888e-019  
各種データ
ズーム比     11.47 
焦点距離      10.24    32.56    58.85    88.95   117.54  
Fナンバー      1.84     1.91     1.93     1.94     2.04  
半画角（度）   37.99    13.80     7.74     5.14     3.89  
像高           8.00     8.00     8.00     8.00     8.00  
レンズ全長   572.32   572.32   572.32   572.32   572.32  
BF            10.43    10.43    10.43    10.43    10.43  
d20            6.68    75.85    99.04   111.27   117.56  
d30          126.45    27.85     4.52     2.28     7.31  
d33            2.18    19.49    20.05    11.96     2.09  
d40           51.98    49.79    45.30    41.79    39.67  
d47            0.65    14.97    19.05    20.65    21.31  
入射瞳位置   111.79   192.09   263.20   333.29   389.26  
射出瞳位置   358.51   271.50   302.35   346.76   384.61  
前側主点位置 122.33   228.71   333.91   445.77   543.72  
後側主点位置   0.19   -22.13   -48.42   -78.52  -107.11  
ズームレンズ群データ
群  始面    焦点距離  レンズ構成長  前側主点位置  後側主点位置
1    1     103.93       187.66       132.60         65.93
2   21     -37.62        39.90         2.77        -29.04
3   31    -144.16         4.60        -0.38         -2.92
4   34      87.95        22.03         3.62        -11.39
5   41     315.38        20.02        22.09         10.59
6   48      94.12        19.69         6.98         -5.80
G   53       ∞          69.00        21.00        -21.00
単レンズデータ
レンズ  始面  焦点距離
1       1   -358.00
2       3   -270.88
3       5   -163.02
4       7    203.99
5       9    1392.00
6      11    196.90
7      12   -390.46
8      14   -182.87
9      15    189.39
10      17    218.02
11      19    337.64
12      21    -48.77
13      23    -80.30
14      25     39.18
15      26    -46.32
16      28    305.55
17      29   -509.85
18      31    -87.86
19      32    227.59
20      35     58.68
21      36    -57.69
22      38     69.38
23      39   -309.37
24      41     80.72
25      43    -34.47
26      44     72.04
27      46    198.74
28      48     64.57
29      49    -51.08
30      51     69.95
31      53      0.00
32      54      0.00
【００８１】
（数値実施例４）
f= 10.17〜118.50mm  Fno=1.87〜2.05  ２ω=76.36〜7.72°
面番号        r        d      nd        νd    有効径    θgF      ΔθgF
1         191.892    3.80   1.77250   49.6    158.03  0.55234  -0.00885
2         100.258   24.61                      138.94
3         650.306    3.30   1.71300   53.9    138.63  0.54532  -0.00902
4         156.194   24.38                      130.40
5        -239.306    3.20   1.69680   55.5    129.98  0.55234  -0.00885
6         369.588    0.20                      130.33
7         220.468   15.33   1.84666   23.8    131.63  0.61910   0.01612
8       -1760.201    4.72                      131.08
9        -866.782    8.63   1.49700   81.5    129.98  0.53859   0.02916
10        -238.196    0.15                      129.66
11       -8084.644   22.35   1.51633   64.1    124.72  0.53416  -0.00353
12        -109.355    3.60   1.69895   30.1    123.49  0.60302   0.01030
13        -222.869   20.26                      121.38
14         223.194    3.80   1.74950   35.3    119.32  0.58180  -0.00249
15         105.166   21.72   1.49700   81.5    116.91  0.53859   0.02916
16       -1004.888    0.20                      116.93
17         167.387   19.12   1.43387   95.1    116.40  0.53728   0.04975
18        -262.129    0.20                      115.85
19         147.146    8.56   1.43387   95.1    106.05  0.53728   0.04975
20         360.823  (可変)                      104.46
21(非球面) 284.906    1.80   1.43875   94.9     53.57  0.53463   0.04681
22          30.769   10.00                       43.27
23        -259.354    1.80   1.43875   94.9     43.11  0.53463   0.04681
24          50.517    2.00                       40.11
25          77.261    2.00   1.59282   68.6     39.99  0.54461   0.01428
26          52.072    8.82                       38.86
27         -43.691    2.95   1.59240   68.3     38.81  0.54556   0.01464
28        1047.637    2.96                       41.07
29         132.444    6.17   1.62004   36.3     43.36  0.58830   0.00550
30         -72.025  (可変)                       43.53
31(絞り)     ∞       1.75                       36.73
32(非球面) 193.422    2.83   1.49700   81.5      37.15
33       -1663.631    0.25                      37.26
34          44.026    3.60   1.76182   26.6     37.64
35          54.454    0.65                      36.72
36          56.314    2.00   1.77250   49.6     36.68
37          44.220  (可変)                      35.75
38       -1528.998    6.05   1.61800   63.3     40.10
39         -98.131    0.20                      40.83
40         254.114    2.00   1.78590   44.2     40.93
41          47.499   11.25   1.49700   81.5     40.62
42        -113.178  (可変)                      41.20
43         427.178   10.15   1.49700   81.5     41.19
44         -43.801    1.80   1.77250   49.6     41.04
45(非球面)-790.301    0.20                      41.93
46          70.910   12.40   1.43387   95.1     42.77
47         -57.931  (可変)                      42.57
48           ∞      50.00   1.69680   55.5     39.42
49           ∞      19.00   1.51633   64.2     27.12
50           ∞     (可変)                      21.87
像面         ∞   
第２レンズ群の負レンズの平均ΔθgF=0.03064
【００８２】
非球面データ
第21面
K =-2.22986e+000  A 4=-2.19298e-007  A 6=-4.18697e-010  A 8=-1.05182e-013
A10= 1.74620e-016  
第32面
K = 1.05639e+001  A 4=-1.08639e-006  A 6=-7.33608e-011  A 8=-1.34916e-013
A10=-1.15160e-016  
第45面
K = 5.01453e+002  A 4= 4.44844e-007  A 6= 2.11058e-010  A 8= 1.59689e-013
A10= 5.17543e-017  
各種データ
ズーム比     11.65 
広角     中間     望遠
焦点距離      10.17    56.88   118.50  
Fナンバー      1.87     2.00     2.05  
半画角（度）   38.18     8.01     3.86  
像高           8.00     8.00     8.00  
レンズ全長   555.52   556.64   556.84  
BF            13.86    15.01    15.17  
d20            1.30    97.55   121.61  
d30          140.68    25.82     3.81  
d37           45.00    51.27    59.53  
d42            0.55     1.90     0.55  
d47            3.37    14.33     5.41  
d50           13.86    15.01    15.17  
入射瞳位置   105.00   263.86   416.43  
射出瞳位置   629.59   315.32   207.43  
前側主点位置 115.34   331.51   607.98  
後側主点位置   3.68   -41.87  -103.34  
ズームレンズ群データ
群  始面    焦点距離  レンズ構成長  前側主点位置  後側主点位置
1    1     115.01       188.13       125.71         61.78
2   21     -38.61        38.50         3.60        -33.50
3   31     280.49        11.08       -14.12        -20.55
4   38     138.42        19.50         8.31         -4.44
5   43     106.95        24.56        14.80         -2.06
G   48       ∞          69.00        21.00        -21.00
単レンズデータ
レンズ  始面  焦点距離
1       1   -276.78
2       3   -289.12
3       5   -208.01
4       7    232.24
5       9    657.88
6      11    214.49
7      12   -311.24
8      14   -269.05
9      15    192.81
10      17    238.66
11      19    565.84
12      21    -78.79
13      23    -96.20
14      25   -277.63
15      27    -70.73
16      29     76.12
17      32    348.82
18      34    262.56
19      36   -287.24
20      38    169.40
21      40    -74.65
22      41     68.92
23      43     80.51
24      44    -60.09
25      46     75.69
26      48      0.00
27      49      0.00
【００８３】
（数値実施例５）
f= 10.41〜127.95mm  Fno=1.88〜4.00  ２ω=75.1〜7.16°
面番号        r        d      nd       νd    有効径      θgF    ΔθgF
1       -4560.326    7.30   1.80610  33.3   155.97    0.58811  0.00047
2         217.835   17.84   1.49700  81.5   141.66    0.53859  0.02916
3        -810.701    0.15                   139.47
4         280.148   11.65   1.59240  68.3   125.48    0.54556  0.01464
5       -1434.318    0.15                   122.31
6         146.187    9.08   1.63854  55.4   100.10    0.54900 -0.00286
7         383.090  (可変)                    95.38
8(非球面)-140.039    2.50   1.49700  81.5    90.20    0.53859  0.02916
9          32.325   17.10                    59.52
10         148.095    2.50   1.43875  94.9    59.45    0.53463  0.04681
11(非球面)  35.150   19.20                     56.84
12         -61.933    7.00   1.64769  33.8    56.88    0.59447  0.00770
13         -42.069    2.50   1.59282  68.6     57.86   0.54461  0.01428
14        -105.874    2.00                     61.35
15(非球面)1487.915    6.53   1.64769  33.8     63.12   0.59447  0.00770
16        -119.493    2.00   1.80809  22.8     63.20   0.63070  0.02607
17        -153.980  (可変)                     63.53
18(非球面)  74.026    9.23   1.65844  50.9     39.79
19         -57.152    0.07                     39.39
20         -56.535    2.50   1.51633  64.1     39.37
21          56.719    9.75                     37.68
22(絞り)     ∞      35.50                     39.17
23        -675.547   11.93   1.49700  81.5     48.80
24         -51.726    0.81                     50.22
25         218.892    7.22   1.56907  71.3     48.60
26         -56.381    0.11                     48.52
27         -56.138    2.10   1.83400  37.2     48.39
28       -3884.412  (可変)                     48.18
29         201.399    3.30   1.49700  81.5     37.46
30        -199.074    7.67                     37.37
31         -54.112    2.00   1.69680  55.5     36.43
32          50.539    1.77                     38.12
33          64.142    8.78   1.49700  81.5     39.42
34        -106.027    0.10                     40.94
35         101.226   10.25   1.59240  68.3     42.78
36(非球面) -55.841  (可変)                     43.12
37           ∞      50.00   1.69680  55.5     50.00
38           ∞      19.00   1.51633  64.1     50.00
39           ∞     (可変)                      50.00
像面         ∞   
第２レンズ群の負レンズの平均ΔθgF=0.02908
【００８４】
非球面データ
第8面
K = 5.74945e+000  A 4= 2.46947e-006  A 6=-9.48170e-010  A 8= 2.45691e-013
A10=-1.65534e-017  
第11面
K =-1.12276e+000  A 4= 2.39227e-006  A 6=-1.39689e-009  A 8= 4.08773e-012
A10=-7.37347e-015  
第15面
K = 4.12997e+002  A 4= 8.30323e-007  A 6=-2.08567e-010  A 8= 8.84953e-013
A10=-9.61624e-016  A12= 2.08342e-019  
第18面
K =-7.25070e+000  A 4= 1.17569e-006  A 6=-9.05415e-010  A 8=-5.70160e-013
A10= 1.14771e-015  A12=-6.28781e-019  
第36面
K = 1.09749e+000  A 4= 9.03254e-007  A 6= 4.10726e-010  A 8=-6.59253e-013
A10= 1.15222e-015  A12=-7.83324e-019  
各種データ
ズーム比     12.29 
広角     中間     望遠
焦点距離      10.41    69.47   127.95  
Fナンバー      1.88     3.60     4.00  
半画角（度）   37.55     6.57     3.58  
像高           8.00     8.00     8.00  
レンズ全長   566.08   571.93   614.63  
BF             0.59     0.61     0.60  
d 7            8.00    58.20   119.17  
d17          250.48    27.52     2.90  
d28            1.04   183.41   176.08  
d36           16.37    12.60    26.28  
d39            0.59     0.61     0.60  
入射瞳位置    86.44   181.55   481.82  
射出瞳位置   13157.34   108.92    97.51  
前側主点位置  96.86   295.57   778.70  
後側主点位置  -9.81   -68.86  -127.34  
ズームレンズ群データ
群  始面    焦点距離  レンズ構成長  前側主点位置  後側主点位置
1    1     227.84        46.18        23.50         -5.10
2    8     -38.37        61.33         1.86        -58.86
3   18     118.14        79.22        45.73        -33.33
4   29     100.03        33.87        32.51          8.84
G   37       ∞          69.00        21.00        -21.00
単レンズデータ
レンズ  始面  焦点距離
1       1   -257.74
2       2    347.47
3       4    396.63
4       6    364.77
5       8    -52.59
6      10   -105.76
7      12    177.87
8      13   -119.50
9      15    171.05
10      16   -677.78
11      18     50.39
12      20    -54.43
13      23    111.99
14      25     79.54
15      27    -68.32
16      29    201.99
17      31    -37.21
18      33     81.81
19      35     62.26
20      37      0.00
21      38      0.00
【００８５】
【表１】
0005615143.tif 000003
【００８６】
図１１は実施例１〜５のズームレンズを撮影光学系として用いた撮像装置（テレビカメラシステム）の要部概略図である。図１１において１０１は実施例１〜５のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１〜第３レンズ群を含む前群ＬＦと後群Ｌｒを有している。１１４、１１５は各々各レンズ群を光軸方向に駆動するヘリコイドやカム等の駆動機構である。
【００８７】
１１６、１１７は駆動機構１１４、１１５及び開口絞り（不図示）を電動駆動するモータ（駆動手段）である。図１１は不図示であるが各レンズ群の光軸上の位置や、開口絞りの絞り径を検出する為のエンコーダやポテンションメータ、あるいはフォトセンサ等の検出器が設けられている。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【００８８】
また１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【符号の説明】
【００８９】
Ｌ０はズームレンズ  Ｌ１は第１レンズ群  Ｌ２は第２レンズ群  Ｌ３は第３レンズ群
Ｌ４は第４レンズ群  Ｌ５は第５レンズ群  Ｌ６は第６レンズ群  ＳＰは開口絞り
Ｇはプリズム  ＩＰは像面
【図１】
0005615143.tif 000004
【図２】
0005615143.tif 000005
【図３】
0005615143.tif 000006
【図４】
0005615143.tif 000007
【図５】
0005615143.tif 000008
【図６】
0005615143.tif 000009
【図７】
0005615143.tif 000010
【図８】
0005615143.tif 000011
【図９】
0005615143.tif 000012
【図１０】
0005615143.tif 000013
【図１１】
0005615143.tif 000014